(57)【要約】【課題】携帯端末において関連する電子メールを自動的に抽出し整列して表示することにより、利用者が表示した電子メールにいたるまでの経緯を容易に表示可能とすること。【解決手段】利用者が入力操作する操作部１２と、表示部１１と、外部と無線通信により通話や情報交換する無線送受信部１３と、送信した電子メールと受信した電子メールとを蓄積するメール領域２１を有する記憶部１５と、無線送受信部１３により外部との間で電子メールの送信又は受信を実行し送信又は受信した電子メールの表示部１１への表示とメール領域２１への蓄積とを処理するメール処理部２２と、表示部１１に表示中の指定された電子メールに対し利用者の操作によって指定された関連条件に基づいてメール領域２１をから関連する電子メールを抽出して表示する関連付け部２３とを有する。【選択図】      図１
2004178294.tif 000002
【特許請求の範囲】
【請求項１】
送信した電子メールと受信した電子メールとを蓄積するメール領域と、電子メールの送信と受信と表示とメール領域への蓄積を処理するメール処理部と、表示中の電子メールに対する利用者の操作によって指定された関連条件に基づいてメール領域から電子メールを抽出して表示する関連付け部とを有する携帯端末。
【請求項２】
利用者が入力操作する操作部と、表示部と、外部と無線通信により通話や情報交換する無線送受信部と、送信した電子メールと受信した電子メールとを蓄積するメール領域を有する記憶部と、無線送受信部により外部との間で電子メールの送信又は受信を実行し送信又は受信した電子メールの表示部への表示とメール領域への蓄積とを処理するメール処理部と、表示部に表示中の指定された電子メールに対し利用者の操作によって指定された関連条件に基づいてメール領域をから関連する電子メールを抽出して表示する関連付け部とを有する携帯端末。
【請求項３】
前記電子メールは送信又は受信した日付と時刻からなる日時情報を含み、前記関連付け部はメール領域をから抽出した電子メールを日時情報の日時順に整列して表示することを特徴とする請求項１又は２の携帯端末。
【請求項４】
前記電子メールは送信先又は受信元のアドレス情報を含み、前記関連付け部は、前記関連条件が表示中の電子メールに含まれるアドレス情報Ａと送信先又は受信元のアドレス情報が一致するという条件の場合、前記メール領域からアドレス情報Ａを含む電子メールを抽出して表示することを特徴とする請求項１又２の携帯端末。
【請求項５】
前記電子メールは主題である件名情報を含み、前記関連付け部は、前記関連条件が表示中の電子メールに含まれる件名情報Ｂと件名が一致するという条件の場合、前記メール領域から件名情報Ｂを含む電子メールを抽出して表示することを特徴とする請求項１又２の携帯端末。
【請求項６】
送信した電子メールと受信した電子メールとを蓄積するメール領域と、電子メールの送信と受信と表示とメール領域への蓄積を処理するメール処理部と、表示中の電子メールに対する利用者の操作によって指定された関連条件に基づいてメール領域から電子メールを抽出して表示する関連付け部とを有し、
前記電子メールは送信先又は受信元のアドレス情報と主題である件名情報と電子メールを送信又は受信した日付と時刻からなる日時情報とを含み、
前記メール処理部は、電子メールを表示する画面に関連メールとして同一アドレスの電子メールか同一件名の電子メールかを選択操作するための情報を表示し、前記関連付け部は、電子メールの表示画面で選択操作されると関連メールの情報を取得し、条件としてアドレスが同一であることが指定された場合は表示メールが含むアドレスと同じアドレスを含む電子メールをメール領域から抽出して日時順に整列して表示し、条件として件名が同一であることが指定された場合は表示メールが含む件名と同じ件名の電子メールをメール領域から抽出して日時順に整列して表示することを特徴とする携帯端末。
【請求項７】
携帯端末から送信した電子メールと前記携帯端末で受信した電子メールとを前記端末装置に設けたメール領域に蓄積しておき、
前記携帯端末の表示部に電子メールを表示した画面から関連する電子メールの表示の指示を利用者が操作すると、予め決められた関連条件に基づいてメール領域から関連する電子メールを抽出して表示することを特徴とする電子メールの表示方法。
【請求項８】
携帯端末から送信した電子メールと前記携帯端末で受信した電子メールとを前記端末装置に設けたメール領域に蓄積しておき、
前記携帯端末の表示部に電子メールを表示した画面から関連する電子メールの表示の指示を利用者が操作すると、予め決められた関連条件に基づいてメール領域から関連する電子メールを抽出し、電子メールに含まれる送信又は受信した日付と時刻からなる日時情報の日付順に整列して表示することを特徴とする電子メールの表示方法。
【請求項９】
携帯端末から送信した電子メールと前記携帯端末で受信した電子メールとを前記端末装置に設けたメール領域に蓄積しておき、
前記携帯端末の表示部に電子メールを表示した画面から関連する電子メールの表示の指示を利用者が操作すると、表示中の電子メールに含まれる送信先又は受信元のアドレス情報と同じアドレス情報を含む電子メールをメール領域から抽出して表示することを特徴とする電子メールの表示方法。
【請求項１０】
携帯端末から送信した電子メールと前記携帯端末で受信した電子メールとを前記端末装置に設けたメール領域に蓄積しておき、
前記携帯端末の表示部に電子メールを表示した画面から関連する電子メールの表示の指示を利用者が操作すると、表示中の電子メールに含まれる主題である件名情報と同じ件名情報を含む電子メールをメール領域から抽出して表示することを特徴とする電子メールの表示方法。
【請求項１１】
送信先又は受信元のアドレス情報と主題である件名情報と電子メールを送信又は受信した日付と時刻からなる日時情報とを含み携帯端末で送信又は受信した電子メールを前記端末装置に設けたメール領域に蓄積しておき、
電子メールを表示する際に同じ画面に関連メールとして同一アドレスの電子メールか同一件名の電子メールかを選択操作するための情報を表示し、
電子メールの表示画面で選択操作されると関連メールの情報を取得し、条件としてアドレスが同一であることが指定された場合は表示メールが含むアドレスと同じアドレスを含む電子メールをメール領域から抽出して日時順に整列して表示し、条件として件名が同一であることが指定された場合は表示メールが含む件名と同じ件名の電子メールをメール領域から抽出して日時順に整列して表示することを特徴とする電子メールの表示方法。
【請求項１２】
携帯端末から送信した電子メールと前記携帯端末で受信した電子メールとを前記端末装置に設けたメール領域に蓄積しておく手順と、
前記携帯端末の表示部に電子メールを表示した画面から関連する電子メールの表示の指示を利用者が操作すると、予め決められた関連条件に基づいてメール領域から関連する電子メールを抽出して表示する手順とをコンピュータに実行させるプログラム。
【請求項１３】
携帯端末から送信した電子メールと前記携帯端末で受信した電子メールとを前記端末装置に設けたメール領域に蓄積しておく手順と、
前記携帯端末の表示部に電子メールを表示した画面から関連する電子メールの表示の指示を利用者が操作すると、予め決められた関連条件に基づいてメール領域から関連する電子メールを抽出し、電子メールに含まれる送信又は受信した日付と時刻からなる日時情報の日付順に整列して表示する手順とをコンピュータに実行させるプログラム。
【請求項１４】
携帯端末から送信した電子メールと前記携帯端末で受信した電子メールとを前記端末装置に設けたメール領域に蓄積しておく手順と、
前記携帯端末の表示部に電子メールを表示した画面から関連する電子メールの表示の指示を利用者が操作すると、表示中の電子メールに含まれる送信先又は受信元のアドレス情報と同じアドレス情報を含む電子メールをメール領域から抽出して表示する手順とをコンピュータに実行させるプログラム。
【請求項１５】
携帯端末から送信した電子メールと前記携帯端末で受信した電子メールとを前記端末装置に設けたメール領域に蓄積しておく手順と、
前記携帯端末の表示部に電子メールを表示した画面から関連する電子メールの表示の指示を利用者が操作すると、表示中の電子メールに含まれる主題である件名情報と同じ件名情報を含む電子メールをメール領域から抽出して表示する手順とをコンピュータに実行させるプログラム。
【請求項１６】
送信先又は受信元のアドレス情報と主題である件名情報と電子メールを送信又は受信した日付と時刻からなる日時情報とを含み携帯端末で送信又は受信した電子メールを前記端末装置に設けたメール領域に蓄積しておく手順と、
電子メールを表示する際に同じ画面に関連メールとして同一アドレスの電子メールか同一件名の電子メールかを選択操作するための情報を表示する手順と、
電子メールの表示画面で選択操作されると関連メールの情報を取得し、条件としてアドレスが同一であることが指定された場合は表示メールが含むアドレスと同じアドレスを含む電子メールをメール領域から抽出して日時順に整列して表示し、条件として件名が同一であることが指定された場合は表示メールが含む件名と同じ件名の電子メールをメール領域から抽出して日時順に整列して表示する手順とをコンピュータに実行させるプログラム。
【発明の詳細な説明】
【０００１】
【発明の属する技術分野】
本発明は関連する電子メールを表示する携帯端末、電子メール表示方法、及びプログラムに関し、特に電子メールを表示した状態で簡単な操作により自動的に関連するメールを編集して表示する技術に関する。
【０００２】
【従来の技術】
利用者は携帯電話機や携帯型情報端末のような携帯端末を用いて電子メールサービスを受けられるようになった。電子メールは広域ネットワーク上で電子メールの送受信を行うメールサーバを経由して携帯端末から発信され、携帯端末に受信される。メールサーバはサービス対象装置宛の電子メールを受信するとサービス対象装置毎に設けられたメールボックスに一時記憶し、利用者は携帯端末を操作して自身宛の電子メールをメールサーバから携帯端末に取り出して携帯端末の表示装置に表示する。
【０００３】
特開平７−９９５０８号公報では、利用者が通常の電話をかけると、電子メールセンタが蓄積している電子メール情報を検索して利用者と通話相手との間で交信した電子メール又は電子メールのリストを抽出して利用者と通話相手に送信して端末に表示するようにした技術が開示されている。この発明では、電子メールセンタの処理によって利用者は通話中に最近やり取りした電子メール取得しこれを表示して見ながら相手と話ができる。
【０００４】
【特許文献１】
特開平７−９９５０８号公報
【０００５】
【発明が解決しようとする課題】
しかしながら、従来の携帯端末の電子メール表示の技術において、携帯端末は表示装置の表示面積が大きくできないため電子メール情報量の制限により短文による連絡が主として行われ、一般の電子メールのように元となる電子メールの引用や履歴等を含まない場合が多いので、使用者が読み出した電子メールに至る経緯を把握しにくいという問題がある。
【０００６】
また、携帯端末は送信の電子メールと受信の電子メールに区別して保存しており、利用者は保存状態に基づいて検索操作をして表示する。例えば、利用者間で互いに返信を繰り返した電子メールの履歴を辿る場合は、送信の電子メールと受信の電子メールを交互に検索して表示する必要があった。従って利用者は一連の関連する電子メールを表示する場合面倒な検索操作を繰り返さなければならないといった問題があった。
【０００７】
特開平７−９９５０８号公報の発明では、電子メールセンタに利用者に関連した電子メールを蓄積しておき電子メールセンタのサービス機能を利用することにより、電話中に相手との間の最新の電子メールやリストを表示することができるが、電子メールセンタに利用者の電子メールを保持しておく必要があり電子メールセンタのサービスを利用するため、利用量のような費用がかかるという問題がある。
【０００８】
本発明の目的は、携帯端末において関連する電子メールを自動的に抽出し整列して表示することにより、利用者が表示した電子メールにいたるまでの経緯を容易に表示可能とした機能を有する携帯端末、電子メールの表示方法、及びプログラムを提供することにある。
【０００９】
【課題を解決するための手段】
本発明の第１の携帯端末は、送信した電子メールと受信した電子メールとを蓄積するメール領域と、電子メールの送信と受信と表示とメール領域への蓄積を処理するメール処理部と、表示中の電子メールに対する利用者の操作によって指定された関連条件に基づいてメール領域から電子メールを抽出して表示する関連付け部とを有する。
【００１０】
本発明の第２の携帯端末は、利用者が入力操作する操作部と、表示部と、外部と無線通信により通話や情報交換する無線送受信部と、送信した電子メールと受信した電子メールとを蓄積するメール領域を有する記憶部と、無線送受信部により外部との間で電子メールの送信又は受信を実行し送信又は受信した電子メールの表示部への表示とメール領域への蓄積とを処理するメール処理部と、表示部に表示中の指定された電子メールに対し利用者の操作によって指定された関連条件に基づいてメール領域をから関連する電子メールを抽出して表示する関連付け部とを有する。
【００１１】
本発明の第３の携帯端末は、前記第１又は第２の携帯端末において、前記電子メールは送信又は受信した日付と時刻からなる日時情報を含み、前記関連付け部はメール領域をから抽出した電子メールを日時情報の日時順に整列して表示することを特徴とする。
【００１２】
本発明の第４の携帯端末は、前記第１又は第２の携帯端末において、前記電子メールは送信先又は受信元のアドレス情報を含み、前記関連付け部は、前記関連条件が表示中の電子メールに含まれるアドレス情報Ａと送信先又は受信元のアドレス情報が一致するという条件の場合、前記メール領域からアドレス情報Ａを含む電子メールを抽出して表示することを特徴とする。
【００１３】
本発明の第５の携帯端末は、前記第１又は第２の携帯端末において、前記電子メールは主題である件名情報を含み、前記関連付け部は、前記関連条件が表示中の電子メールに含まれる件名情報Ｂと件名が一致するという条件の場合、前記メール領域から件名情報Ｂを含む電子メールを抽出して表示することを特徴とする。
【００１４】
本発明の第６の携帯端末は、送信した電子メールと受信した電子メールとを蓄積するメール領域と、電子メールの送信と受信と表示とメール領域への蓄積を処理するメール処理部と、表示中の電子メールに対する利用者の操作によって指定された関連条件に基づいてメール領域から電子メールを抽出して表示する関連付け部とを有し、
前記電子メールは送信先又は受信元のアドレス情報と主題である件名情報と電子メールを送信又は受信した日付と時刻からなる日時情報とを含み、
前記メール処理部は、電子メールを表示する画面に関連メールとして同一アドレスの電子メールか同一件名の電子メールかを選択操作するための情報を表示し、前記関連付け部は、電子メールの表示画面で選択操作されると関連メールの情報を取得し、条件としてアドレスが同一であることが指定された場合は表示メールが含むアドレスと同じアドレスを含む電子メールをメール領域から抽出して日時順に整列して表示し、条件として件名が同一であることが指定された場合は表示メールが含む件名と同じ件名の電子メールをメール領域から抽出して日時順に整列して表示することを特徴とする。
【００１５】
本発明の第１の電子メールの表示方法は、携帯端末から送信した電子メールと前記携帯端末で受信した電子メールとを前記端末装置に設けたメール領域に蓄積しておく手順と、
前記携帯端末の表示部に電子メールを表示した画面から関連する電子メールの表示の指示を利用者が操作すると、予め決められた関連条件に基づいてメール領域から関連する電子メールを抽出して表示する手順とを有することを特徴とする。
【００１６】
本発明の第２の電子メールの表示方法は、携帯端末から送信した電子メールと前記携帯端末で受信した電子メールとを前記端末装置に設けたメール領域に蓄積しておく手順と、
前記携帯端末の表示部に電子メールを表示した画面から関連する電子メールの表示の指示を利用者が操作すると、予め決められた関連条件に基づいてメール領域から関連する電子メールを抽出し、電子メールに含まれる送信又は受信した日付と時刻からなる日時情報の日付順に整列して表示する手順とを有することを特徴とする。
【００１７】
本発明の第３の電子メールの表示方法は、携帯端末から送信した電子メールと前記携帯端末で受信した電子メールとを前記端末装置に設けたメール領域に蓄積しておく手順と、
前記携帯端末の表示部に電子メールを表示した画面から関連する電子メールの表示の指示を利用者が操作すると、表示中の電子メールに含まれる送信先又は受信元のアドレス情報と同じアドレス情報を含む電子メールをメール領域から抽出して表示する手順とを有することを特徴とする。
【００１８】
本発明の第４の電子メールの表示方法は、携帯端末から送信した電子メールと前記携帯端末で受信した電子メールとを前記端末装置に設けたメール領域に蓄積しておく手順と、
前記携帯端末の表示部に電子メールを表示した画面から関連する電子メールの表示の指示を利用者が操作すると、表示中の電子メールに含まれる主題である件名情報と同じ件名情報を含む電子メールをメール領域から抽出して表示する手順とを有することを特徴とする。
【００１９】
本発明の第５の電子メールの表示方法は、送信先又は受信元のアドレス情報と主題である件名情報と電子メールを送信又は受信した日付と時刻からなる日時情報とを含み携帯端末で送信又は受信した電子メールを前記端末装置に設けたメール領域に蓄積しておく手順と、
電子メールを表示する際に同じ画面に関連メールとして同一アドレスの電子メールか同一件名の電子メールかを選択操作するための情報を表示し、
電子メールの表示画面で選択操作されると関連メールの情報を取得する手順と、条件としてアドレスが同一であることが指定された場合は表示メールが含むアドレスと同じアドレスを含む電子メールをメール領域から抽出して日時順に整列して表示し、条件として件名が同一であることが指定された場合は表示メールが含む件名と同じ件名の電子メールをメール領域から抽出して日時順に整列して表示する手順とを有することを特徴とする。
【００２０】
本発明の第１のプログラムは、携帯端末から送信した電子メールと前記携帯端末で受信した電子メールとを前記端末装置に設けたメール領域に蓄積しておく手順と、
前記携帯端末の表示部に電子メールを表示した画面から関連する電子メールの表示の指示を利用者が操作すると、予め決められた関連条件に基づいてメール領域から関連する電子メールを抽出して表示する手順とをコンピュータに実行させる。
【００２１】
本発明の第２のプログラムは、携帯端末から送信した電子メールと前記携帯端末で受信した電子メールとを前記端末装置に設けたメール領域に蓄積しておく手順と、
前記携帯端末の表示部に電子メールを表示した画面から関連する電子メールの表示の指示を利用者が操作すると、予め決められた関連条件に基づいてメール領域から関連する電子メールを抽出し、電子メールに含まれる送信又は受信した日付と時刻からなる日時情報の日付順に整列して表示する手順とをコンピュータに実行させる。
【００２２】
本発明の第３のプログラムは、携帯端末から送信した電子メールと前記携帯端末で受信した電子メールとを前記端末装置に設けたメール領域に蓄積しておく手順と、
前記携帯端末の表示部に電子メールを表示した画面から関連する電子メールの表示の指示を利用者が操作すると、表示中の電子メールに含まれる送信先又は受信元のアドレス情報と同じアドレス情報を含む電子メールをメール領域から抽出して表示する手順とをコンピュータに実行させる。
【００２３】
本発明の第４のプログラムは、携帯端末から送信した電子メールと前記携帯端末で受信した電子メールとを前記端末装置に設けたメール領域に蓄積しておく手順と、
前記携帯端末の表示部に電子メールを表示した画面から関連する電子メールの表示の指示を利用者が操作すると、表示中の電子メールに含まれる主題である件名情報と同じ件名情報を含む電子メールをメール領域から抽出して表示する手順とをコンピュータに実行させる。
【００２４】
本発明の第５のプログラムは、送信先又は受信元のアドレス情報と主題である件名情報と電子メールを送信又は受信した日付と時刻からなる日時情報とを含み携帯端末で送信又は受信した電子メールを前記端末装置に設けたメール領域に蓄積しておく手順と、
電子メールを表示する際に同じ画面に関連メールとして同一アドレスの電子メールか同一件名の電子メールかを選択操作するための情報を表示する手順と、
電子メールの表示画面で選択操作されると関連メールの情報を取得し、条件としてアドレスが同一であることが指定された場合は表示メールが含むアドレスと同じアドレスを含む電子メールをメール領域から抽出して日時順に整列して表示し、条件として件名が同一であることが指定された場合は表示メールが含む件名と同じ件名の電子メールをメール領域から抽出して日時順に整列して表示する手順とをコンピュータに実行させる。
【００２５】
【発明の実施の形態】
次に、本発明の実施の形態について図面を参照して詳細に説明する。図１は本発明の実施の形態の構成を示したブロック図である。携帯端末１０（図１では携帯端末１０−１と携帯端末１０−２を掲載）は、例えば、携帯電話機やＰＤＡ（Ｐｅｒｓｏｎａｌ  Ｄｉｇｉｔａｌ  Ａｓｓｉｓｔａｎｔ）のような携帯情報機器であり、表示部１１と、利用者がキー入力等の操作をするための操作部１２と、無線通信で無線電話システム３０と交信する無線送受信部１３と、携帯端末１０の様々な処理を実行する制御部１４と、記憶部１５とを含む。
【００２６】
記憶部１５は、発信した電子メールと受信した電子メールとを蓄積するメール領域２１と、電子メールの送受信、メールの表示、メール領域２１の管理を行うメール処理部２２と、メール領域２１内の電子メールを与えられた条件で抽出して整列する関連付け部２３とを含む。メール処理部２２と関連付け部２３とはコンピュータ上で実行されるプログラムであり、図１の構成では制御部１４で実行される。なお、図１ではメール処理部２２と関連付け部２３とは記憶部１５内に置かれているが、記憶部１５とは別の読み出し用のメモリ（図示しないが、例えばＲＯＭやフラッシュメモリ等）に格納しておいてもよく格納場所は限定しない。
【００２７】
無線電話システム３０は、無線電話サービスを提供する業者が構築するシステムであり、通常は携帯端末１０−１や携帯端末１０−２と直接無線通信する無線基地局や、電子メールサービスを提供するメールサーバ３１や、その他のサービスを提供するための情報処理装置や通信装置とこれらを接続する通信手段とを含んでいるが内部の構成については限定しない。また、無線電話システム３０は、インターネットや公衆電話網のような広域ネットワーク２９と接続し他のシステムとの間の通信サービスも実行する。
【００２８】
メールサーバ３１は、契約利用者の要求に応じて電子メールを送信し、受信した電子メールを契約利用者毎に設けたメールボックス３２に一時的に保持し、利用者からの取得要求に応じて保持している利用者宛の電子メールを引き渡す機能を有する。メールサーバ３５は設置される位置が異なるがメールサーバ３１
と同じ機能を持つ。
【００２９】
メール領域２１は、携帯端末１０が電子メールサービスの契約をしているメールサーバから取得した受信メールや送信したメールを蓄積する領域である。契約先のメールサーバは無線電話システム３０に設置されたメールサーバ３１でもよいし、広域ネットワーク３９に接続するメールサーバ３５でもよいが、以降の説明ではメールサーバ３１を契約先として説明する。
【００３０】
図２は、メール領域２１に記憶される送信メールリスト２５と受信メールリスト２６を示した図である。送信メールリスト２５はメール処理部２２により発信された電子メールが蓄積される。受信メールリスト２６はメール処理部２２によって契約先のメールサーバ３１から取得され蓄積される。図２は蓄積される論理的なイメージを示したものであり記憶部１５上に実際に記憶される物理的な配置を示したものではなく、電子メールを構成する各情報を分離して記憶してもよく特に物理的な配置を限定するものではない。
【００３１】
電子メールは、一般に送受信した日時を示すタイムスタンプ情報と、送信先又は受信元のアドレス情報と、主題となる件名情報と、メールの本文情報とを含んで構成される。図２では各電子メールを識別するための番号を付与している。
【００３２】
メール処理部２２は、送信するメールを利用者の入力に従って作成し送信するとともに送信メールリスト２５に蓄積する手順と、利用者の操作によってメールサーバ３１から受信メールを取得し表示部１１に表示するとともに受信メールリスト２６に蓄積する手順と、利用者の操作によって指定された電子メールを表示部１１に表示する手順とを含む。表示する電子メールの指定は送信メールリスト２５又は受信メールリスト２６に基づいて一部の情報（アドレスや件名）を抽出した一覧表を作成して表示部１１に表示し、利用者に選択させる方法等があるが特に限定しない。
【００３３】
関連付け部２３は、利用者の操作に従って表示中の電子メールに関連する電子メールを送信メールリスト２５及び受信メールリスト２６から抽出して日時順に整列して表示部１１に表示する手順を含む。例えば、抽出する条件は表示中の電子メールと同じ相手であったり同じ件名であったりする。
【００３４】
次に、本発明の実施の形態の動作について図面を参照して説明する。図３は本発明の実施の形態の動作を示したフローチャートである。まず、メール処理部２２によって利用者が指定した電子メールを表示部１１に表示した状態からの動作を説明する。図４、図５のそれぞれ左側に示した関連メールを読む前の初期画面では利用者が指定した電子メールは図２のＲＭ０２９の受信メールとしている。
【００３５】
まず利用者は、図４又は図５の初期画面は関連メールを読む際に“相手”又は“件名”を選択操作する。ただし、機能をどちらか一方に限定する場合は“相手”又は“件名”の表示はせず“関連メールを読む”の表示だけでよく利用者は関連メールの読み出しの実行の操作だけでよい。
【００３６】
（１）“相手”選択の場合の動作
利用者が“相手”を選択操作すると関連付け部２３が起動され、選択内容を確認し（Ｓ５１）、現在表示している電子メールＲＭ０２９のアドレス情報である“ｓｕｚｕｋｉ＠．．”（＠の後の“．．”は特に限定する必要がないため省略していることを示す）をメール領域２１内の受信メールリスト２６から取得する（Ｓ５２）。
【００３７】
次に、アドレスが“ｓｕｚｕｋｉ＠．．”の電子メールを送信メールリスト２５と受信メールリスト２６を参照して抽出する（Ｓ５３）。この場合は、送信メールリスト２５からＳＭ０２１とＳＭ０２３が抽出され、受信メールリスト２６からＲＭ０２６が抽出される。
【００３８】
次に、抽出された電子メールの時刻情報を比較して、新しい順にＳＭ０２３、ＳＭ０２１、ＲＭ０２６と整列する（Ｓ５４）。次に、予め決められた電子メールの構成情報を整列した電子メールから読み出して順時刻順に表示する（Ｓ５５）。図４の右側の操作後画面が表示内容を示している。図４では送信／受信の区別と本文情報とを電子メール毎に表示し電子メールを時刻順に表示している。最後に同じ相手の電子メールを表示したことを示す“相手：ｓｕｚｕｋｉ＠．．”の表示をしている。
【００３９】
なお、図４の操作後画面は表示イメージを示しており表示部１１の画面サイズに全部が表示できない場合は画面をスクロールして表示できるようにしてもよい。また、図４で示した本文情報の他に時刻情報を合わせて表示してもよく、表示する情報は特に限定しない。
【００４０】
（２）“件名”選択の場合の動作
利用者が“件名”を選択操作すると関連付け部２３が起動され、選択内容を確認し（Ｓ５１）、現在表示している電子メールＲＭ０２９の件名情報である“Ｒｅ：明日の件”をメール領域２１内の受信メールリスト２６から取得する（Ｓ５５）。
【００４１】
次に、件名が“Ｒｅ：明日の件”であるの電子メールを送信メールリスト２５と受信メールリスト２６を参照して抽出する（Ｓ５７）。この場合“Ｒｅ：”の部分は返信であることを示す特殊な文字列であるので件名が“明日の件”のものも含めて抽出する。図２を参照すれば送信メールリスト２５からＳＭ０２１とＳＭ０２３が抽出され、受信メールリスト２６からＲＭ０２６とＲＭ０２８が抽出される。
【００４２】
次に、抽出された電子メールの時刻情報を比較して、新しい順にＲＭ０２８、ＳＭ０２３、ＳＭ０２１、ＲＭ０２６と整列する（Ｓ５４）。次に、予め決められた電子メールの構成情報を整列した電子メールから読み出して順時刻順に表示する（Ｓ５５）。図５の右側の操作後画面が表示内容を示している。図５では送信／受信の区別とアドレス情報と本文情報とを電子メール毎に表示し電子メールを時刻順に表示している。最後に同じ件名の電子メールを表示したことを示す“件名：Ｒｅ：明日の件”の表示をしている。
【００４３】
なお、図５の操作後画面も図４と同様に表示イメージを示しており表示部１１の画面サイズに全部が表示できない場合は画面をスクロールして表示できるようにしてもよい。また、図５で示した本文情報とアドレス情報に加えて時刻情報を合わせて表示してもよく、表示する情報は特に限定しない。
【００４４】
このように、利用者は１つの親となる電子メールを表示した状態で簡単な操作によって関連する電子メールを相手又は件名で指定して時刻順に整列して表示することができるので、関連する相手とのやり取りの経緯を容易に読み取ることができる。
【００４５】
以上の説明では、相手のアドレスが１つである場合について説明したが、２名以上の相手を指定する機能を追加することによって、指定の２名以上のアドレスの電子メールを抽出して整列し表示してもよく、相手を１名に限定する必要はない。これを実現する技術は以上の説明から容易に理解できるので詳細な説明は省略する。
【００４６】
【発明の効果】
以上説明したように、本発明によれば、利用者は表示中の電子メールに関連する電子メールを読む場合、簡単な操作だけで自動的に関連メールを表示できるので、利用者は面倒な操作をせずに電子メールのやり取りの経緯を読むことができるという効果がある。
【００４７】
また、電子メールの抽出や整列処理を携帯端末内部で処理するため、外部で準備されたサービスに依存することなく、容易に関連メールの表示ができるので外部のサービスの利用料が不要となり、また、電話中に限らずいつでも関連メールが表示できるという効果がある。
【図面の簡単な説明】
【図１】本発明の実施の形態の構成を示したブロック図である。
【図２】本発明の実施の形態のメール領域２１のイメージを示した図である。
【図３】本発明の実施の形態の動作を示したフローチャートである。
【図４】本発明の実施の形態の表示画面の一例である。
【図５】本発明の実施の形態の表示画面の一例である。
【符号の説明】
１０    携帯端末
１１    表示部
１２    操作部
１３    無線送受信部
１４    制御部
１５    記憶部
２１    メール領域
２２    メール処理部
２３    関連付け部
２５    送信メールリスト
２６    受信メールリスト
３０    無線電話システム
３１    メールサーバ
３５    メールサーバ
３９    広域ネットワーク
【図１】
2004178294.tif 000003
【図２】
2004178294.tif 000004
【図３】
2004178294.tif 000005
【図４】
2004178294.tif 000006
【図５】
2004178294.tif 000007